(57)【要約】【課題】  起動時間のずれによる信号の取りこぼしや画面のちらつきの発生を防止することができる車載用システム間の同期システムの提供。【解決手段】  表示装置４の画面を管理しているナビゲーションシステム１側に起動電源がオンされた後に該ナビゲーションシステム１の起動完了を表示装置４の画面を管理していないＤＶＤシステム２側に伝える信号を送信する起動完了信号送信手段が備えられ、表示装置４の画面を管理していないＤＶＤシステム２には起動完了信号送信手段から起動完了信号を受信するまではＤＶＤシステム２の動作を禁止する動作禁止手段が備えられる。【選択図】        図２
2006168578.tif 000002
【特許請求の範囲】
【請求項１】
一方の第１システムに対し別の通信方式を持ち該第１システム側とは別体にマスターユニットを備えたもう一方の第２システムがゲートウェイを介して通信接続され、１つの表示装置に前記第１システム画面と第２システム画面とを適宜切り替えて表示するようにした車載用システムであって、
前記第１システムと第２システムのうち前記表示装置の画面を管理している第１システム側に起動電源がオンされた後に該第１システムの起動完了を前記表示装置の画面を管理していない方の第２システム側に伝える信号を送信する起動完了信号送信手段が備えられ、
前記第２システムには前記起動完了信号送信手段から起動完了信号を受信するまでは該第２システムの動作を禁止する動作禁止手段が備えられていることを特徴とする車載用システム間の同期システム。
【請求項２】
前記起動完了信号送信手段からの起動完了信号が起動電源オン時から所定時間内に送信されなかった場合は前記表示装置の画面を管理している方の第１システム側に起動完了の確認要求信号を送信する起動確認要求信号送信手段が前記第２システムに備えられていることを特徴とする請求項１に記載の車載用システム間の同期システム。
【請求項３】
前記第２システムには起動電源オフ時に該第２システムがオン状態であった時は前記第１システムに前記第２システムオン指示信号を送信するオン指示信号送信手段が備えられていることを特徴とする請求項１または２に記載の車載用システム間の同期システム。
【請求項４】
前記第１システムは、前記オン指示信号送信手段からのシステムオン指示信号が送信された場合は前記表示装置を第２システム画面に切り替え、所定時間内に送信されなかった場合は第１システム画面に切り替えるように構成されていることを特徴とする請求項３に記載の車載用システム間の同期システム。
【請求項５】
前記第１システムがナビゲーションシステムで、前記第２システムがオーディオシステムであることを特徴とする請求項１〜４のいずれか１項に記載の車載用システム間の同期システム。
【発明の詳細な説明】
【技術分野】
【０００１】
本発明は、車載用システム間の同期システムに関し、特に１つの表示装置にＤＶＤ等のオーディオシステム画面とナビゲーションシステム画面とを適宜切り替えて表示するようにした車載用システム間の同期システムに関する。
【背景技術】
【０００２】
近年、車両にはＡＭ／ＦＭラジオ、ＣＤ（Compact Disk）プレーヤ、ＤＶＤプレーや等のオーディオシステムおよびナビゲーションシステム（車載用オーディオ・ナビゲーションシステム）が搭載されるようになった（例えば、特許文献１参照）。
これらの電子機器の多くはユニット化され、共通信号線で相互に接続されてオーディオ・ナビゲーションシステムを構築できるようになっている。このようなオーディオ・ナビゲーションシステムでは、ヘッドユニットと呼ばれる装置で各ユニットを集中管理する。ヘッドユニットには、その他のユニットの状態を集中的に管理するための操作部が設けられている。
【０００３】
【特許文献１】特開２０００−１３８９９９号公報
【発明の開示】
【発明が解決しようとする課題】
【０００４】
しかしながら、ＡＭ／ＦＭラジオ、ＣＤプレーヤ、ＤＶＤプレーや等の車載のオーディオシステムのうち、例えば、車両にＤＶＤシステムが搭載されるようになったのは、比較的最近のことで、それまでは、オーディオシステムには組み込まれていなかったため、例えば、このＤＶＤシステムを備えない従来のオーディオ・ナビゲーションシステムに大幅な変更を加えることなしにＤＶＤシステムを簡易に組み込むためには、従来のオーディオシステムとＤＶＤシステムとでは通信方式が異なるため、既存のオーディオシステム側のマスターユニットとは別に、ＤＶＤシステム側もマスターユニットを備えた状態で組み込むと共に、既存のオーディオシステムとＤＶＤシステムとの間をゲートウェイを介して通信接続する必要がある。
【０００５】
ところが、既存のオーディオシステムとＤＶＤシステムとでは通信方式が異なるため、クランキング等の電源変動等の要因で互いの起動時間がずれることがあり、このため、起動時間のずれによる信号の取りこぼしや画面のちらつきを生じさせる恐れがあるという問題があった。
【０００６】
本発明は、上述のような従来の問題点に着目して成されたもので、一方の第１システムに対し別の通信方式を持ち一方のシステム側とは別体にマスターユニットを備えたもう一方の第２システムがゲートウェイを介して通信接続され、１つの表示装置に第２システム画面と第１システム画面とを適宜切り替えて表示するようにした車載用システムにおいて、起動時間のずれによる信号の取りこぼしや画面のちらつきの発生を防止することができる車載用システム間の同期システムを提供することを目的としている。
【課題を解決するための手段】
【０００７】
上述の目的を達成するために、本願請求項１に記載の車載用システム間の同期システムは、一方の第１システムに対し別の通信方式を持ち該第１システム側とは別体にマスターユニットを備えたもう一方の第２システムがゲートウェイを介して通信接続され、１つの表示装置に前記第１システム画面と第２システム画面とを適宜切り替えて表示するようにした車載用システムであって、前記第１システムと第２システムのうち前記表示装置の画面を管理している方の第１システム側に起動電源がオンされた後に該システムの起動完了を前記表示装置の画面を管理していない方の第２システム側に伝える信号を送信する起動完了信号送信手段が備えられ、前記第２システムには前記起動完了信号送信手段から起動完了信号を受信するまでは該第２システムの動作を禁止する動作禁止手段が備えられていることを特徴とする手段とした。
【０００８】
請求項２に記載の車載用システム間の同期システムは、請求項１に記載の車載用システム間の同期システムにおいて、前記起動完了信号送信手段からの起動完了信号が起動電源オン時から所定時間内に送信されなかった場合は前記表示装置の画面を管理している方の第１システム側に起動完了の確認要求信号を送信する起動確認要求信号送信手段が前記第２システムに備えられていることを特徴とする手段とした。
【０００９】
請求項３に記載の車載用システム間の同期システムは、請求項１または２に記載の車載用システム間の同期システムにおいて、前記第２システムには起動電源オフ時に該第２システムがオン状態であった時は前記第１システムに前記第２システムオン指示信号を送信するオン指示信号送信手段が備えられていることを特徴とする手段とした。
【００１０】
請求項４に記載の車載用システム間の同期システムは、請求項１〜３のいずれか１項に記載の車載用システム間の同期システムにおいて、前記第１システムは、前記オン指示信号送信手段からのシステムオン指示信号が送信された場合は前記表示装置を第２システム画面に切り替え、所定時間内に送信されなかった場合は第１システム画面に切り替えるように構成されていることを特徴とする手段とした。
【００１１】
請求項５に記載の車載用システム間の同期システムは、請求項１〜４のいずれか１項に記載の車載用システム間の同期システムにおいて、前記第１システムがナビゲーションシステムで、前記第２システムがオーディオシステムであることを特徴とする手段とした。
【発明の効果】
【００１２】
請求項１に記載の車載用システム間の同期システムでは、上述のように、第１システムと第２システムのうち表示装置の画面を管理している方の第１システム側に起動電源がオンされた後に該システムの起動完了を表示装置の画面を管理していない方の第２システム側に伝える信号を送信する起動完了信号送信手段が備えられ、第２システムには起動完了信号送信手段から起動完了信号を受信するまでは該第２システムの動作を禁止する動作禁止手段が備えられることにより、両システム間の起動タイミングを一致させることができるため、起動時間のずれによる信号の取りこぼしや画面のちらつきの発生を防止することができるようになるという効果が得られる。
【００１３】
また、請求項２に記載の車載用システム間の同期システムでは、上述のように、起動完了信号送信手段からの起動完了信号が起動電源オン時から所定時間内に送信されなかった場合は表示装置の画面を管理している方の第１システム側に起動完了の確認要求信号を送信する起動確認要求信号送信手段が第２システムに備えられることで、表示装置の画面を管理している方の第１システムの起動完了信号を新たに受信することができるようになるため、電源変動やユニット交換等により、第２システム側だけが再起動した場合においても、第２システムを正常復帰させることができるようになる。
【００１４】
また、請求項３に記載の車載用システム間の同期システムでは、上述のように、第２システムには起動電源オフ時に第２システムがオン状態であった時は第１システムに第２システムオン指示信号を送信するオン指示信号送信手段が備えられることで、このシステムオン指示信号により表示装置の画面を管理していない方の第２システム画面を表示装置に切り替え表示させることができ、これにより、表示装置の画面を管理していない方の第２システムの画面を起動電源オフ時点の画面表示に復帰表示させることができるようになる。
【００１５】
また、請求項４に記載の車載用システム間の同期システムでは、上述のように、第１システムは、オン指示信号送信手段からのシステムオン指示信号が送信された場合は表示装置を第２システム画面に切り替え、所定時間内に送信されなかった場合は第１システム画面に切り替えるようにすることで、第２システム側が故障している場合でも、第１システムを起動させることができるようになる。
【００１６】
請求項５に記載の車載用システム間の同期システムでは、前記第１システムがナビゲーションシステムで、前記第２システムがオーディオシステムとすることにより、ＤＶＤ等のオーディオシステムを備えない既存のナビゲーションシステムに大幅な変更を加えることなしにＤＶＤ等のオーディオシステムを簡易に組み込んで両システム間を同期させることができるようになる。
【発明を実施するための最良の形態】
【００１７】
以下に、本発明の実施例を図面に基づいて説明する。
【実施例１】
【００１８】
この実施例１の車載用システム間の同期システムは、請求項１〜５に記載の発明に対応する。
図１はこの実施例１の車載用システム間の同期システムが適用された車載用オーディオ・ナビゲーションシステムを示すシステムブロック部、図２は実施例１の車載用システム間の同期システムにおけるナビゲーションシステム側の制御内容を示すフローチャート、図３は実施例１の車載用システム間の同期システムにおけるＤＶＤシステム側の制御内容を示すフローチャートである。
【００１９】
この実施例１の車載用システム間の同期システムが適用された車載用オーディオ・ナビゲーションシステムは、ナビゲーションシステム（第１システム）１に対し別の通信方式を持ちナビゲーションシステム１側とは別体にマスターユニットを備えたＤＶＤシステム（第２システム）２がゲートウェイ（Ｇ／Ｗ）３を介して通信接続され、１つの表示装置４にＤＶＤシステム画面と、ナビゲーションシステム画面（図４参照）と、ナビゲーションシステム１側に組み込まれたテレビ（ＴＶ）およびビデオ（ＶＴＲ）の画面とを適宜切り替えて表示するように構成されたものである。
なお、図５は上記ＤＶＤシステム画面（ＤＶＤ再生メニュー選択画面）を示しており、再生、停止、音質調整等の操作メニュー、ＤＶＤメニュー、タイトルメニュー等の各種操作内容を示す操作メニューが画面表示されている。
【００２０】
なお、上記マスターユニットは、システム内のほぼ全てのユニットを制御するユニットであり、表示装置（フロントモニター、リアモニター）４、映像分配器、ＴＶチューナー等の周辺部品は、このマスターユニットと１対１で通信を行ない、マスターユニットは、各周辺部品に指示を出して表示装置４の画面切り替え、音声切り替え制御を行なっている。
【００２１】
また、ナビゲーションシステム１はＪ１８５０通信方式を採用し、ＤＶＤシステム２はＣＡＮ通信方式を採用しており、２つの通信方式は通信速度、インターフェース回路、コマンド等が異なるため、上記ゲートウェイ（Ｇ／Ｗ）３にて通信コマンドを変換し、別の通信方式側に送信するようにしている。
【００２２】
さらに詳述すると、上記表示装置４の画面を管理しているナビゲーションシステム１側には、起動電源（ＡＣＣ）がオンされた後に該ナビゲーションシステム１の起動完了を表示装置４の画面を管理していないＤＶＤシステム２側に伝える信号を送信する起動完了信号送信手段が備えられている。
【００２３】
また、上記ＤＶＤシステム２側には、起動完了信号送信手段から起動完了信号を受信するまではＤＶＤシステム２の動作を禁止する動作禁止手段と、起動電源オフ時にＤＶＤシステム２がオン状態であった時は表示装置４の画面を管理しているナビゲーションシステム１にシステムオン指示信号を送信するオン指示信号送信手段が備えられている。
【００２４】
また、上記起動完了信号送信手段からの起動完了信号が起動電源オン時から所定時間内に送信されなかった場合は、表示装置４の画面を管理しているナビゲーションシステム１側に起動完了の確認要求信号を送信する起動確認要求信号送信手段が表示装置４の画面を管理していないＤＶＤシステム２に備えられている。
【００２５】
また、上記表示装置４の画面を管理していない方のＤＶＤシステム２には、起動電源オフ時に該ＤＶＤシステム２がオン状態であった時は表示装置４の画面を管理しているナビゲーションシステム１にシステムオン指示信号を送信するオン指示信号送信手段が備えられている。
【００２６】
また、上記表示装置４の画面を管理しているナビゲーションシステム１は、オン指示信号送信手段からのシステムオン指示信号が送信された場合は表示装置４を表示装置の画面を管理していないＤＶＤシステム２の画面に切り替え、所定時間内に送信されなかった場合は表示装置４の画面を管理しているナビゲーションシステム１の画面に切り替えるように構成されている。
【００２７】
次に、ナビゲーションシステム１およびＤＶＤシステム２におけるシステム間同期制御内容を図２、３のフローチャートに基づいて説明する。
まず、ナビゲーションシステム１側のシステム間同期制御内容を図２のフローチャートに基づいて説明する。
【００２８】
図２のステップＳ１０１では起動電源（ＡＣＣ）がＯＮされたか否かを判定し、ＯＮされた時は、ステップＳ１０２に進んで起動電源がＯＦＦ状態からＯＮ に切り替わったのか、以前からＯＮ状態が継続されているかが判定され、ＯＦＦ状態からＯＮ に切り替わった時は、ステップＳ１０３に進んでナビゲーションシステム１の初期化処理を行ない、続くステップＳ１０４（起動完了信号送信手段）では、ＤＶＤシステム２側に対しナビゲーションシステム１が起動したことを知らせる外部入力スタンバイ（ＡＵＸ  ＳＴＡＮＤＢＹ）"１"信号を送信した後、ステップＳ１０６に進む。
【００２９】
なお、ステップＳ１０２の判定がＮＯ （ＯＮ状態が継続されている場合）である時は、ステップＳ１０５でナビゲーションシステムの動作を継続させた状態で、ステップＳ１０６に進む。また、ステップＳ１０１の判定がＮＯ（起動電源ＯＦＦ）である時は、ステップＳ１１６でＯＦＦ状態に維持させ、これで１回の制御フローを終了する。
【００３０】
ステップＳ１０６では、ＤＶＤシステム２からの外部入力スタンバイ（ＡＵＸ  ＳＴＡＮＤＢＹ）信号要求を受信したか否かが判定され、受信した場合は、ステップＳ１０７に進んで外部入力スタンバイ（ＡＵＸ  ＳＴＡＮＤＢＹ）"１"信号を再度送信した後、ステップＳ１０８に進み、受信しない場合は、そのままステップＳ１０８に進む。
【００３１】
ステップＳ１０８では、起動電源ＯＦＦ時に外部入力（ＡＵＸ）（ラストモードＡＵＸ）であったか否かを判定し、ＹＥＳ（ラストモードＡＵＸ）である時は、ステップＳ１０９に進み、ＮＯである時はステップＳ１１５に進んでナビゲーション画面に切り替えを行なった後、これで１回の制御フローを終了する。
【００３２】
ステップＳ１０９では、が起動電源ＯＦＦ時の外部入力モード（ラストモード）がテレビまたはビデオ（ＴＶｏｒＶＴＲ）であるか否かを判定し、ＹＥＳ（ＴＶｏｒＶＴＲ）である時はステップＳ１１０に進んでＴＶｏｒＶＴＲ画面に切り替えを行なった後、これで１回の制御フローを終了し、ＮＯである時はステップＳ１１１に進む。
【００３３】
ステップＳ１１１では、ＤＶＤシステム２からのＤＶＤ  ＯＮ指示信号を受信したか否かを判定し、受信した場合はステップＳ１１２に進んでＤＶＤ画面に切り替えを行なった後、これで１回の制御フローを終了する。
また、ＤＶＤ  ＯＮ指示信号を受信しなかった場合は、ステップＳ１１３に進んで受信タイマーをカウントアップさせた後、ステップＳ１１４に進む。このステップＳ１１４では受信タイマーがタイムアップしたか否かを判定し、タイムアップした場合はステップＳ１１５に進み、ナビ画面に切り替えを行なった後これで１回の制御フローを終了する。タイムアップしない場合は、ステップＳ１１１に戻る。
【００３４】
次に、ＤＶＤシステム２側のシステム間同期制御内容を図３のフローチャートに基づいて説明する。
図３のステップＳ２０１では、起動電源（ＡＣＣ）がＯＮされたか否かを判定し、ＯＮされた時は、ステップＳ２０２に進んで起動電源がＯＦＦ状態からＯＮ に切り替わったのか、以前からＯＮ状態が継続されているかが判定され、ＯＦＦ状態からＯＮ に切り替わった時は、ステップＳ２０３に進んでＤＶＤシステム２の初期化処理を行ない、続くステップＳ２０４（動作禁止手段）では、ＤＶＤシステム２が起動していない状態（（ＡＵＸ  ＳＴＡＮＤＢＹ）"０"）に設定し、ＤＶＤシステムの動作を一旦禁止させる処理を行なった後、ステップＳ２０６に進む。
【００３５】
なお、ステップＳ２０２の判定がＮＯ （ＯＮ状態が継続されている場合）である時は、ステップＳ２０５でナビゲーションシステムの動作を継続させた状態で、ステップＳ２０６に進む。また、ステップＳ１０１の判定がＮＯ（起動電源ＯＦＦ）である時は、ステップＳ２０  でＯＦＦ状態に維持させ、これで１回の制御フローを終了する。
【００３６】
ステップＳ２０６では、ナビゲーションシステム１側から該ナビゲーションシステム１が起動したことを知らせる外部入力スタンバイ（ＡＵＸ  ＳＴＡＮＤＢＹ）"１"信号を受信したか否かを判定し、受信した時はステップＳ２０９に進んでＤＶＤシステム２の動作を許可した後、ステップＳ２１０に進む。
なお、外部入力スタンバイ（ＡＵＸ  ＳＴＡＮＤＢＹ）"１"信号を受信しなかった時はステップＳ２０７に進んで、起動電源（ＡＣＣ）がＯＮされてから１０秒間経過したか否かを判定し、１０秒間経過した時は、ステップＳ２０８（起動確認要求信号送信手段）に進んで外部入力スタンバイ（ＡＵＸ  ＳＴＡＮＤＢＹ）信号をナビゲーションシステム１側に向けて要求する信号を送信した後、ステップＳ２０６に戻る。
また、起動電源（ＡＣＣ）がＯＮされてから１０秒間経過してない場合は、そのままステップＳ２０６に戻る。
【００３７】
ステップＳ２１０では、起動電源ＯＦＦ時の外部入力モード（ラストモード）がＤＶＤ  ＯＮ状態であったが否かを判定し、ＤＶＤ  ＯＮ 状態であった時はステップＳ２１１に進んでＤＶＤシステムを起動処理し、続くステップＳ２１２（オン指示信号送信手段）でＤＶＤ  ＯＮ 指示信号をナビゲーションシステム１に向けて送信し、これで１回の制御フローを終了し、ＤＶＤ  ＯＦＦ状態であった時は、ＯＦＦ状態のままこれで１回の制御フローを終了する。
【００３８】
次に、実施例１の作用・効果について説明する。
この実施例１の車載用システム間同期システムが適用されたオーディオ・ナビゲーションシステムでは、上述のように、表示装置４の画面を管理しているナビゲーションシステム１側に起動電源がオンされた後に該ナビゲーションシステム１の起動完了を表示装置４の画面を管理していないＤＶＤシステム２側に伝える信号を送信する起動完了信号送信手段が備えられ、表示装置４の画面を管理していないＤＶＤシステム２には起動完了信号送信手段から起動完了信号を受信するまではＤＶＤシステム２の動作を禁止する動作禁止手段が備えられることにより、両システム１、２間の起動タイミングを一致させることができる。
従って、ナビゲーションシステム１に対し別の通信方式を持ちナビゲーションシステム１側とは別体にマスターユニットを備えたＤＶＤシステム２がゲートウェイ３を介して通信接続され、１つの表示装置４にＤＶＤシステム画面と、ナビゲーションシステム画面と、ナビゲーションシステム１側に組み込まれたテレビ（ＴＶ）およびビデオ（ＶＴＲ）の画面とを適宜切り替えて表示するようにした車載用システムにおいて、システム間の起動時間のずれによる信号の取りこぼしや画面のちらつきの発生を防止することができるようになるという効果が得られる。
【００３９】
また、起動完了信号送信手段からの起動完了信号が起動電源オン時から所定時間内に送信されなかった場合は表示装置４の画面を管理しているナビゲーションシステム１側に起動完了の確認要求信号を送信する起動確認要求信号送信手段が表示装置４の画面を管理していないＤＶＤシステム２に備えられることで、表示装置４の画面を管理しているナビゲーションシステム１の起動完了信号を新たに受信することができるようになるため、電源変動やユニット交換等により、表示装置４の画面を管理していないＤＶＤシステム２側だけが再起動した場合においても、表示装置４の画面を管理していないＤＶＤシステム２を正常復帰させることができるようになる。
【００４０】
また、表示装置４の画面を管理していないＤＶＤシステム２には起動電源オフ時に該ＤＶＤシステム２がオン状態であった時は表示装置４の画面を管理しているナビゲーションシステム１に表示装置４の画面を管理していないＤＶＤシステムオン指示信号を送信するオン指示信号送信手段が備えられることで、このシステムオン指示信号により表示装置４の画面を管理していないＤＶＤ画面を表示装置４に切り替え表示させることができ、これにより、表示装置４の画面を管理していないＤＶＤ画面を起動電源オフ時点の画面表示に復帰表示させることができるようになる。
【００４１】
また、表示装置４の画面を管理しているナビゲーションシステム１は、オン指示信号送信手段からのシステムオン指示信号が送信された場合は表示装置４を表示装置４の画面を管理していないＤＶＤ画面に切り替え、所定時間内に送信されなかった場合は表示装置４の画面を管理しているナビゲーションシステム画面に切り替えるようにすることで、表示装置４の画面を管理していないＤＶＤシステム２側が故障している場合でも、表示装置４の画面を管理しているナビゲーションシステム１を起動させることができるようになる。
【００４２】
請求項５に記載の車載用システム間の同期システムでは、一方のシステムがナビゲーションシステム１で、もう一方のシステムがＤＶＤシステム２としたことで、ＤＶＤシステム２を備えない既存のナビゲーションシステム１に大幅な変更を加えることなしにＤＶＤシステム２を簡易に組み込んで両システム１、２間を同期させることができるようになる。  
【００４３】
以上、本発明の実施例を図面に基づき説明してきたが、本発明は上述の実施例に限られるものではなく、本発明の要旨を逸脱しない範囲の設計変更等があっても、本発明に含まれる。
例えば、実施例では、ナビゲーションシステム１と、ＤＶＤシステム２との間の同期を例にとって説明したが、全てのシステム間を同期させる場合に適用することができる。例えば、テレビシステムとＤＶＤシステム間、ビデオシステムとＣＤシステム間等においてシステム同期させることができる。
【００４４】
また、実施例では、ナビゲーションシステム１側で表示装置４の画面を管理するようにした例を示したが、ＤＶＤシステム２側で表示装置４の画面を管理するようにしてもよい。
【図面の簡単な説明】
【００４５】
【図１】実施例１の車載用システム間の同期システムが適用された車載用オーディオ・ナビゲーションシステムを示すシステムブロック部である。
【図２】実施例１の車載用システム間の同期システムにおけるナビゲーションシステム側の制御内容を示すフローチャートである。
【図３】実施例１の車載用システム間の同期システムにおけるＤＶＤシステム側の制御内容を示すフローチャートである。
【図４】実施例１の車載用システム間の同期システムにおけるナビゲーションシステム画面である。
【図５】実施例１の車載用システム間の同期システムにおけるＤＶＤシステム画面（ＤＶＤ再生メニュー選択画面）である。
【符号の説明】
【００４６】
１  ナビゲーションシステム（第１システム）
２  ＤＶＤシステム（第２システム）
３  ゲートウェイ
４  表示装置  
【図１】
2006168578.tif 000003
【図２】
2006168578.tif 000004
【図３】
2006168578.tif 000005
【図４】
2006168578.tif 000006
【図５】
2006168578.tif 000007